(57)【要約】      （修正有）【課題】冷却性能の低下が抑制され機械加工の工数も抑制された内燃機関のシリンダブロックを提供する。【解決手段】隣接する複数のシリンダボアの間に形成された隔壁部１３と、前記隔壁部に形成された冷却水用の通路部１４と、を備え、前記通路部は、大径孔部１５、前記大径孔部に連通し前記大径孔部とは異なる方向に延び前記大径孔部よりもそれぞれの径が小さい複数の小径孔部１６１、１６２、を含み、前記複数の小径孔部は、前記複数のシリンダボアの各中心軸を含む仮想面に交差し、前記大径孔部は、前記仮想面に交差しない、内燃機関のシリンダブロック１。【選択図】図２
2015086784.tif 000002
【特許請求の範囲】
【請求項１】
隣接する複数のシリンダボアの間に形成された隔壁部と、
前記隔壁部に形成された冷却水用の通路部と、を備え、
前記通路部は、大径孔部、前記大径孔部に連通し前記大径孔部とは異なる方向に延び前記大径孔部よりもそれぞれの径が小さい複数の小径孔部、を含み、
前記複数の小径孔部は、前記複数のシリンダボアの各中心軸を含む仮想面に交差し、
前記大径孔部は、前記仮想面に交差しない、内燃機関のシリンダブロック。
【請求項２】
前記大径孔部及び複数の小径孔部の少なくとも一つは、前記複数のシリンダボアの外周に沿って形成されたウォータジャケットに開口し、
前記大径孔部及び複数の小径孔部の少なくとも他の一つは、前記隔壁部の上面に開口している、請求項１の内燃機関のシリンダブロック。
【請求項３】
前記複数の小径孔部の少なくとも一つは、前記ウォータジャケットに開口し、
前記複数の小径孔部の他の一つは、前記隔壁部の上面に開口している、請求項２の内燃機関のシリンダブロック。
【請求項４】
前記大径孔部及び複数の小径孔部は、前記隔壁部の上面に開口している、請求項１の内燃機関のシリンダブロック。
【発明の詳細な説明】
【技術分野】
【０００１】
本発明は内燃機関のシリンダブロックに関する。
【背景技術】
【０００２】
特許文献１〜４には、隣接するシリンダボア間にある隔壁部に冷却水用の通路部が形成されたシリンダブロックが開示されている。
【先行技術文献】
【特許文献】
【０００３】
【特許文献１】特開平０１−１５９１１１号公報
【特許文献２】特開平０５−１４１３０７号公報
【特許文献３】特開２０１３−０６８１７５号公報
【特許文献４】特開平０７−１１９５４１号公報
【発明の概要】
【発明が解決しようとする課題】
【０００４】
このような通路部は、鋳造により成型されたシリンダブロックに対して、ドリルなどの機械加工を施すことにより形成される。隔壁部の強度を考慮すると、通路部の径は小さいほうが好ましい。しかしながら、通路部の径が小さいと、冷却性能が低下する恐れがある。従って、径が小さい通路部を複数設けることが考えられる。しかしながら、通路部を多く設けると機械加工の工数が増大する。
【０００５】
本発明は上記課題に鑑み、冷却性能の低下が抑制され機械加工の工数も抑制された内燃機関のシリンダブロックを提供することを目的とする。
【課題を解決するための手段】
【０００６】
上記目的は、隣接する複数のシリンダボアの間に形成された隔壁部と、前記隔壁部に形成された冷却水用の通路部と、を備え、前記通路部は、大径孔部、前記大径孔部に連通し前記大径孔部とは異なる方向に延び前記大径孔部よりもそれぞれの径が小さい複数の小径孔部、を含み、前記複数の小径孔部は、前記複数のシリンダボアの各中心軸を含む仮想面に交差し、前記大径孔部は、前記仮想面に交差しない、内燃機関のシリンダブロックによって達成できる。
【０００７】
前記大径孔部及び複数の小径孔部の少なくとも一つは、前記複数のシリンダボアの外周に沿って形成されたウォータジャケットに開口し、前記大径孔部及び複数の小径孔部の少なくとも他の一つは、前記隔壁部の上面に開口している、構成であってもよい。
【０００８】
前記複数の小径孔部の少なくとも一つは、前記ウォータジャケットに開口し、前記複数の小径孔部の他の一つは、前記隔壁部の上面に開口している、構成であってもよい。
【０００９】
前記大径孔部及び複数の小径孔部は、前記隔壁部の上面に開口している、構成であってもよい。
【発明の効果】
【００１０】
冷却性能の低下が抑制され機械加工の工数も抑制された内燃機関のシリンダブロックを提供できる。
【図面の簡単な説明】
【００１１】
【図１】図１Ａは、シリンダブロックの上面図、図１Ｂは、図１Ａの隔壁部の部分拡大図である。
【図２】図２Ａは、図１ＢのＡ−Ａ断面図、図２Ｂは、比較例のシリンダブロックの断面図である。
【図３】図３Ａは、第１変形例のシリンダブロックの断面図、図３Ｂは、第２変形例のシリンダブロックの断面図である。
【図４】図４は、第３変形例のシリンダブロックの断面図である。
【発明を実施するための形態】
【００１２】
図１Ａは、シリンダブロック１の上面図である。シリンダブロック１は、直列４気筒エンジン用であるがこれに限定されない。シリンダブロック１には、燃焼室を画定するための円筒状のシリンダボア５が複数形成されている。シリンダボア５は一列に並んで４つ形成されている。シリンダブロック１には、この４つのシリンダボア５の外周に沿ったウォータジャケットＷが形成されている。図１Ａには、一部のシリンダボア５の中心軸Ｃを示している。尚、シリンダブロック１の上面にはシリンダボア５の上部を塞ぐようにしてシリンダヘッドが取り付けられ、燃焼室が形成される。
【００１３】
図１Ｂは、図１Ａの隔壁部１３の部分拡大図である。図２Ａは、図１ＢのＡ−Ａ断面図である。隣接するシリンダボア５の間に位置する隔壁部１３には、冷却水用の通路部１４が形成されている。隔壁部１３は、隣接するシリンダボア５の各中心軸Ｃを含む仮想面を示す一点鎖線Ｌが通る部分、すなわち中央部が最も薄くなっている。詳しくは後述するが通路部１４は、この中央部を通過している。
【００１４】
図２Ａに示されるように通路部１４は、ウォータジャケットＷに開口した孔部１５、孔部１５に連通し隔壁部１３の上面１１に開口した孔部１６、を含む。シリンダヘッドは、隔壁部１３の上面１１側に取り付けられる。孔部１５、１６は、互いに異なる直線方向に延び、一点鎖線Ｌに向けて下方斜めに延びている。即ち、通路部１４は、途中で屈曲しており、各シリンダボア５の中心軸を含む仮想面に垂直な断面で見て略Ｖ字状に形成されている。通路部１４は全体として途中で屈曲した略Ｖ字状に形成されているため、通路部１４全体の長さを確保している。これにより、冷却性能の低下を抑制している。
【００１５】
孔部１６は、複数の小径孔部１６１、１６２を含む。小径孔部１６１、１６２は、隔壁部１３の厚み方向と直交する高さ方向、換言すれば、ピストンの往復方向に並んでいる。小径孔部１６１、１６２は、所定の間隔を空けて形成されている。図２Ａでは、小径孔部１６１、１６２は縦方向に並んでいる。小径孔部１６１、１６２の各径の大きさは、孔部１５の径よりも小さい。小径孔部１６１、１６２は、略平行に直線状に延びているが、平行でなくてもよい。孔部１５、小径孔部１６１、１６２は、鋳造により形成されたシリンダブロック１に対して、ドリルによる機械加工により形成される。孔部１５は、大径孔部の一例である。小径孔部１６１、１６２は、複数の小径孔部の一例である。
【００１６】
これら孔部１５、小径孔部１６１、１６２は、略同じ位置である連通部Ｐで連通している。連通部Ｐは、一点鎖線Ｌよりも右側にずれた位置にある。例えば、図２Ａにおいて右側が吸気通路側であり左側が排気通路側である場合、連通部Ｐは、吸気通路側に位置している。従って、小径孔部１６１、１６２が一点鎖線Ｌを通過するように延び、隔壁部１３の厚みが薄い中央部を通過している。即ち、小径孔部１６１、１６２は、シリンダボア５の各中心軸を含む仮想面に交差している。これに対して、孔部１５は、仮想面に交差せずに離れている。
【００１７】
冷却水は、ウォータジャケットＷから孔部１５を通過して、小径孔部１６１、１６２にそれぞれ流れてシリンダヘッド側へと流れる。このように、通路部１４の上流側に単一の孔部１５が形成され、下流側に小径孔部１６１、１６２が形成されている。
【００１８】
図２Ｂは、比較例のシリンダブロック１ｘの断面図である。隔壁部１３ｘに形成された通路部１４ｘは、並列した小径孔部１４１ｘ、１４２ｘを含み、それぞれ直線状に延びている。小径孔部１４１ｘ、１４２ｘは、共に上面１１ｘ、ウォータジャケットＷで開口している。
【００１９】
エンジンの小型化等を理由に隣接するシリンダボアの間隔が狭い場合、即ち隔壁部が薄い場合、機械加工時にドリルとシリンダライナが干渉する恐れがある。また、通路部がシリンダライナに到達した場合、シリンダライナとシリンダブロックの界面との間から冷却水が漏れる恐れがある。また、このような通路部は、隔壁部の強度を考慮すると径は小さいほうが好ましい。しかしながら、通路部の径が小さいと、冷却性能が低下する恐れがある。従って、比較例のシリンダボア１ｘのように、比較的径の小さい小径孔部１４１ｘ、１４２ｘを複数設けることが考えられる。しかしながら、小径孔部１４１ｘ、１４２ｘのそれぞれを通過する冷却水の流量は小さい。このため、小径孔部１４１ｘ、１４２ｘが長いと、流量の少ない冷却水が小径孔部１４１ｘ、１４２ｘをそれぞれ流れている間に多くの熱量を受ける恐れがある。これにより、冷却水の温度が上昇しやすくなり冷却性能が低下する恐れがある。
【００２０】
本実施例の場合、小径孔部１６１、１６２は、隔壁部１３の中央部を通過するように延びているが、途中で単一の孔部１５に連通している。このため、小径孔部１６１、１６２のそれぞれ小径孔部１４１ｘ、１４２ｘよりも短く形成されており、小径孔部１６１、１６２内での冷却水の温度の上昇を抑制できる。
【００２１】
このように径が小さい小径孔部１６１、１６２を隔壁部１３の高さ方向に並べて中央部にまで延ばし、径が大きい孔部１５については隔壁部１３の中央部から離れている。これにより、径が大きい孔部１５が隔壁部１３の中央部にまで延びていることに起因して隔壁部１３の強度が低下することを抑制している。また、孔部１５は隔壁部１３の中央部から離れているため、加工時にドリルとシリンダライナとの干渉する恐れも抑制される。
【００２２】
孔部１５は、隔壁部１３の中央部から離れているため、径の大きさを確保できる。これにより、エンジンの冷却性能の低下を抑制できる。また、孔部１５は単一の孔であるため、機械加工の工数の増大も抑制される。以上のように、本実施例のシリンダブロック１は、冷却性能の低下が抑制され機械加工の工数の増大を抑制されている。
【００２３】
図３Ａは、第１変形例であるシリンダブロック１ａの断面図である。尚、以下で説明する変形例について、上記実施例と類似する符号を付することにより重複する説明を省略する。隔壁部１３ａに形成された通路部１４ａは、孔部１５ａ、１６を含む。孔部１５ａは、ウォータジャケットＷに開口せずに上面１１ａに開口している。即ち、孔部１５ａ、小径孔部１６１、１６２の全てが上面１１ａに開口している。冷却水は、シリンダヘッド側から、孔部１５ａ、１６を通過して、再びシリンダヘッド側に流れる。このような構成においても、連通部Ｐａは一点鎖線Ｌから離れており、小径孔部１６１、１６２は一点鎖線Ｌを通過するが孔部１５ａは通過しない。このため、冷却性能の低下が抑制され機械加工の工数の増大を抑制される。尚、冷却水の流れる方向は、図３Ａに示した方向と逆方向であってもよい。
【００２４】
図３Ｂは、第２変形例であるシリンダブロック１ｂの断面図である。上記実施例及び第１変形例と異なり、隔壁部１３ｂに形成された通路部１４ｂは、孔部１５ｂ、１６ｂを含む。孔部１５ｂは、２つの小径孔部１５１、１５２を含む。孔部１６ｂは、単一の孔である。小径孔部１５１、１５２は一点鎖線Ｌを通過する。即ち、連通部Ｐｂは、一点鎖線Ｌよりも左側に位置している。図３Ｂにおいて、右側が吸気通路側であり左側が排気通路側である場合、連通部Ｐｂは排気通路側に位置している。小径孔部１５１、１５２は、ウォータジャケットＷに開口している。孔部１６ｂは、上面１１ｂに開口している。冷却水は、ウォータジャケットＷから孔部１５ｂ、１６ｂを通過してシリンダヘッド側に流れる。このように、通路部１４ｂの上流側に複数の小孔部が形成され、下流側に単一の孔部１６ｂが形成されている。このような構成においても、連通部Ｐｂは一点鎖線Ｌから離れており、小径孔部１５１、１５２は一点鎖線Ｌを通過するが孔部１６ｂは通過しない。このため、冷却性能の低下が抑制され機械加工の工数の増大を抑制される。
【００２５】
図４は、第３変形例であるシリンダブロック１ｃの断面図である。隔壁部１３ｃに形成された通路部１４ｃは、孔部１５ｃ、１６ｂを含む。孔部１５ｃは、小径孔部１５１ｃ、１５２ｃを含む。小径孔部１５１ｃは、上面１１ｃに開口し、小径孔部１５２ｃはウォータジャケットＷに開口している。また、小径孔部１５１ｃ、１５２ｃは、平行ではなく異なる方向に延びている。冷却水は、シリンダヘッド側から小径孔部１５１ｃに流れ、かつウォータジャケットＷから小径孔部１５２ｃに流れ、連通部Ｐｃで合流して孔部１６ｂを通過してシリンダヘッド側に流れる。このような構成においても、連通部Ｐｃは一点鎖線Ｌから離れており、小径孔部１５１ｃ、１５２ｃは一点鎖線Ｌを通過するが孔部１６ｂは通過しない。このため、冷却性能の低下が抑制され機械加工の工数の増大を抑制される。
【００２６】
以上、本発明の実施例について詳述したが、本発明はかかる特定の実施例に限定されるものではなく、特許請求の範囲に記載された本発明の要旨の範囲内において、種々の変形・変更が可能である。
【００２７】
上記実施例では、複数の小径孔部は、略径が同じであるがこれに限定されない。例えば、複数の小径孔部は径の大きさが互いに異なっていてもよい。
【００２８】
複数の小径孔部の数は、２つであってもよいし３つ以上であってもよい。
【００２９】
また、複数の小径孔部のうち少なくとも一つが、隣接するシリンダボアの一方側に近い位置に形成されていてもよい。即ち、複数の小径孔部は、隣接するシリンダボアが並ぶ方向以外の方向、即ち、隔壁部の厚み方向以外に並んでいればよい。
【００３０】
大径孔部及び複数の小径孔部のうち少なくとも一つは、径が徐々に小さくなる又は大きくなるテーパー形状であってもよい。
【符号の説明】
【００３１】
１〜１ｃ  シリンダヘッド
１１ａ〜１１ｃ  上面
１３ａ〜１３ｃ  隔壁部
１４〜１４ｃ  通路部
１５ａ〜１５ｃ、１６、１６ｂ  孔部
小径孔部１６１、１６２、１５１、１５２、１５１ｃ、１５２ｃ
Ｗ  ウォータジャケット
【図１】
2015086784.tif 000003
【図２】
2015086784.tif 000004
【図３】
2015086784.tif 000005
【図４】
2015086784.tif 000006